(57)【要約】ディスプレイガラス、格子（２９）が設置された釜、着火装置、灰受け容器（３１）、燃焼新鮮空気の供給口および煙向け排出口が含まれる閉鎖釜付き暖炉（１）であって、壁に取り付けられるか、あるいは部分的あるいは全体的に壁あるいは壁の前端部に埋め込まれる閉鎖された箱の形の小箱（２）状平板体を特徴とするもので、平板体の内部空間が、予熱された二次空気が燃焼用にもってこられるために、分離兼断熱の仕切壁（８）により分離される燃焼（４）および木材の貯蔵場所（６）が形成される貯蔵（５）の隣接する平板の２つの室に分離されて、貯蔵区画（５）の底は釜の下部部分で終わる傾斜路（３４）をなしている。この発明は薪の火が利用される暖炉のメーカーが興味を引くものである。【選択図】図１
2007531859.tif 000002
【特許請求の範囲】
【請求項１】
ディスプレイガラス（３）、灰受け格子（２９）が備えられた釜、着火装置、灰受け容器（３１）、燃焼新鮮空気取入口、ならびに壁掛け、あるいは部分的または全体的な壁埋込みの閉鎖箱形小箱状平板体（２）ならびに排煙が含まれるとともに、該小箱状平板体（２）の内部空間が分離仕切壁（８）により分離されるそれぞれ燃焼（４）そして燃料の貯蔵場所（６）が形成される貯蔵（５）の隣接する平板の２室に分離されること、釜（４）に面する該小箱状平板体（２）の前面の面部分がディスプレイガラス（３）の機能により閉鎖されており、該ガラスが釜への接近とその清掃のため開閉が可能であること、ならびに燃料の貯蔵場所（６）が形成される貯蔵区画（５）によりその下部部分で該貯蔵区画に積み上げられる固体燃料の釜への自動供給が構成されること、ならびにディスプレイガラス（３）により釜（４）に面する部分が既に閉鎖された該小箱（２）の前面の面が、ディスプレイガラス（３）に関する中央透明表面（５８）がガラスあるいは類似のものでできた主扉（５６）により閉鎖されること、ならびに燃焼空気の供給が主取入口および二次空気取入口から二重に行われることを特徴とする木材専用固体燃料用閉鎖釜暖炉（１）。
【請求項２】
ガラス製の飾り扉（５６）が二重ガラス張りであることを特徴とする請求項１に記載の暖炉。
【請求項３】
閉鎖時に、ガラス製主扉（５６）およびディスプレイガラス（３）が、炎の直接の光景および写像および反射像から形成される炎の光景のためにガラスの３倍の厚みを呈することを特徴とする請求項２に記載の暖炉。
【請求項４】
分離仕切壁（８）が空洞であることを特徴とする請求項１に記載の暖炉。
【請求項５】
分離仕切壁（８）が断熱されていることを特徴とする請求項１あるいは請求項２に記載の暖炉。
【請求項６】
分離仕切壁（８）の内部空間が、部分的にあるいは全体的に断熱材料で満たされていることを特徴とする請求項１から請求項５までの任意の請求項に記載の暖炉。
【請求項７】
分離仕切壁（８）の内部空間で貯蔵区画（５）から燃焼室（４）を断熱する燃焼空気が加熱されながら通過することを特徴とする請求項１から請求項６までの任意の請求項に記載の暖炉。
【請求項８】
分離仕切壁（８）が燃焼の二次新鮮空気が釜に持ち込まれるために少なくともその下部部分（１３）に通じることを特徴とする請求項１から請求項７までの任意の請求項に記載の暖炉。
【請求項９】
分離仕切壁（８）が再燃焼用の釜の上部部分で二次燃焼空気排気口も提供することを特徴とする請求項８に記載の暖炉。
【請求項１０】
再燃焼のため分離仕切壁（８）の内部空間と連絡する孔から形成される二次燃焼空気排気口が直線空気孔列（１７）であることを特徴とする請求項９に記載の暖炉。
【請求項１１】
二次燃焼空気が機械手段により共通仕切壁（８）から内部空間に押し込まれることを特徴とする請求項１から請求項１０までの任意の請求項に記載の暖炉。
【請求項１２】
主燃焼空気が空気入口の正面調節弁（２７）から取り込まれることを特徴とする請求項１に記載の暖炉。
【請求項１３】
空気取入口の正面調節弁（２７）に平行移動部品（２０）が含まれることを特徴とする請求項１２の任意の請求項に記載の暖炉。
【請求項１４】
平行移動部品（２０）が釜の灰受け格子（２９）に機械的に固定されることを特徴とする請求項１３の任意の請求項に記載の暖炉。
【請求項１５】
木材の貯蔵場所（６）の形成される貯蔵区画（５）が下部部分の開いた釜の背後に置かれるとともに、これに隣接しかつ薪の平均直径に一致する奥行きの分離仕切壁（８）により分離されると同時に、直接あるいは水平に積み上げられる薪あるいは丸太（７）の交換により満たされるために設置される貯蔵の室、あるいは区画（５）であることを特徴とする請求項１に記載の暖炉。
【請求項１６】
最初の薪が消費し終わる時に新しい薪がこれと置き換えられるよう薪あるいは丸太が釜の格子（２９）の高さまで貯蔵区画（５）の出口の下部開口を横切って重力により横方向に取り出されて、木材の貯蔵場所（６）の形成される貯蔵区画（５）が、薪あるいは丸太（７）がその上を滑るかまたは走る、釜から重力による自動燃料供給の実現を可能とする傾斜路（３４）の下部部分に通じることを特徴とする請求項１５に記載の暖炉。
【請求項１７】
貯蔵区画（５）の出口の下部開口が傾斜路（３４）と共通仕切壁（８）の下縁間に拡がる部分であることを特徴とする請求項１６に記載の暖炉。
【請求項１８】
出口下部開口に薪あるいは丸太（７）の釜への受入れ手段が設置されていることを特徴とする請求項１７に記載の暖炉。
【請求項１９】
受入れ手段が長広舌タイプのものであることを特徴とする請求項１８に記載の暖炉。
【請求項２０】
木材の貯蔵場所（６）に投入具により貯蔵区画（５）に導入される取替部品（６２）が含まれることを特徴とする請求項１９に記載の暖炉。
【請求項２１】
投入具により取替部品（６２）が受け入れられることを特徴とする請求項２０に記載の暖炉。
【請求項２２】
暖炉に着火装置が含まれることを特徴とする請求項１に記載の暖炉。
【請求項２３】
着火装置に遮蔽電気抵抗器（３８）が含まれることを特徴とする請求項２２に記載の暖炉。
【請求項２４】
着火装置が遠隔制御可能であることを特徴とする請求項２３に記載の暖炉。
【請求項２５】
小箱（２）が貯蔵区画の出入開口に関する領域（４３）が、枠取りされると同時に断熱される２枚の回転扉（３９）および（４０）により横方向に閉鎖されることを特徴とする請求項１に記載の暖炉。
【請求項２６】
排煙が煙箱（４６）の形で釜上部の暖炉の高所部分に置かれることを特徴とする請求項１から請求項２５までの任意の請求項に記載の暖炉。
【請求項２７】
煙箱（４６）の出口が隣接あるいは鉛直の壁を横断する出口に関して水平であることを特徴とする請求項２６に記載の暖炉。
【請求項２８】
排煙が一本は排煙用そしてもう一本は燃焼空気の受入れ用の、隣接する壁を横断する同心の２本の配管による燃焼空気の受入れと同じ配管（５２）により行われることを特徴とする請求項２７に記載の暖炉。
【請求項２９】
薪あるいは丸太（７）の間に燃料挿入要素が介在することを特徴とする請求項１に記載の暖炉。
【請求項３０】
主燃焼空気の取入口（１８）が一定温度に保たれることを特徴とする請求項１に記載の暖炉。
【請求項３１】
燃焼二次空気の取入口（１４）が一定温度に保たれることを特徴とする請求項１に記載の暖炉。
【請求項３２】
燃焼空気の２ヶ所の両取込口（１８）および（１４）が一定温度に保たれることを特徴とする請求項１に記載の暖炉。
【発明の詳細な説明】
【技術分野】
【０００１】
本発明は特にマンションあるいは戸建て住宅用に設置される極めて平たくすることが可能な閉鎖平板釜を呈する固体燃料、特に木材を使用する小型の壁暖炉に関する。
【０００２】
本発明はさらに特に貯蔵場所から釜に木材が自動供給されるとともに、その着火の遠隔制御が可能である閉鎖釜壁暖炉が目的とされる。
【背景技術】
【０００３】
各戸の木材使用暖炉はすべての人々から高く評価される快適な生活の典型である。これにより薪の火の情景に加えて、暖かみ、談笑、励ましがもたらされる。これによりある人々にとっては決して侮りがたい感傷的な魅力が提供される。すべての人々にとって、薪の火を見ることは、伸び伸びした暖かみにより励まされ、心地よく、かつ心落ち着く情景である。さらに、暖炉の存在を通して家族全員、かつ客人に、集い、交流、懇親の場の提供が同時に実現される。
【０００４】
しかしながら、従来の暖炉の設置には相当な空間が必要とされると同時に、特にマンションあるいは戸建ての小住宅の場合には、必ずしも自宅でこのような場所が自由になる、あるいは面倒無く暖炉の設置ができるよう十分な空間が取れるとは限らない。
【０００５】
従って、それでも暖炉の火の魅力的な情景の恩恵に預かり得るために、様々な一時的解決策が、自宅に暖炉の設置が不可能な人々のために考えられている。
【０００６】
例えば、映像装置により暖炉の火が再現され、小さな空間で済むテレビ映像やうわべだけの暖炉が、受像機で見られるビデオカセットに録画される暖炉の火がある。
【０００７】
このような見せかけの装置には、赤みを帯びた輝きを創り出すための電気照明、炎の輝きのための動的発光装置、赤色およびオレンジ色光により照らされると同時に炎のきらめきや動きその他を再現した空気の流れにより揺さぶられる細帯の含まれるプラスチック材料製の人工薪が含まれ得る。
【０００８】
技術の進歩により、さらに現実感の面において改善された装置の提案が可能となった。しかしながら、このような装置はまやかしの姿に基づいていて、かつ暖炉の実際の火の魅力も暖かみもないので、明らかに期待が裏切られるものである。
【０００９】
床面積が少なくて済むマンションあるいは戸建て住宅に設置可能な本当の暖炉、さらに床面積を全く取らない壁掛け暖炉のニーズが実際に存在する。
【００１０】
都合に良いことに、このような暖炉はかさばらずに済む上に、炎の情景の恩恵が十分に引き出されるために最適であるだけでなく、さらに釜の全景が一目で見える光景が都合良く提供されるものでなくてはならない。
【００１１】
さらに、この暖炉により様々な安全基準が満足されると同時に、その利用において特に実用的な性格が示され、かつ最適な無公害性が保証されなくてはならない。
【００１２】
好ましくは、本暖炉はどのような利用者でも、迅速かつ容易に暖炉の火の恩恵が受けられるとともに、いかなる面倒もなく、迅速、手軽、清潔、かつ危険のない使い方のものでなくてはならない。
【発明の開示】
【００１３】
本発明の目的は、固体燃料が使用される閉鎖釜付きの小型の壁掛け暖炉、すなわち、使用が極めて容易で、かつマンションあるいは戸建て住宅に設置可能な暖炉の提供にある。
【００１４】
本発明はまた着火、燃料供給、清掃等々の主な機能が単純でかつ自動機能付きの壁掛け暖炉もその目的とする。
【００１５】
このように、望ましい実用使用上の利点が得られるよう、この暖炉では釜から自動補給される固体燃料、特に、木材と一体となった貯蔵場所が利用される。この補給はまた迅速、気軽、清潔、かつ危険無く行われる。
【００１６】
この暖炉の使用は一般的に時間が制限されるので、貯蔵場所は一晩に相当する２〜３時間程度の平均継続時間に関して計算される固体燃料の能力から構成され得る。
【００１７】
この技術課題を解決するため、本発明による暖炉には、ディスプレイガラス、格子が設置された釜、好ましくは、遠隔着火装置、釜に自動供給される木材の貯蔵場所、灰受け容器、燃焼空気の二重供給および煙および燃焼ガスの排出が含まれ、すべては暖炉が小型である、つまりは暖炉が出来る限り小さな奥行を呈するように設置される。
【００１８】
この目的では、本発明の各構成要素は、これら複数の利点により得られる製品の魅力が構成される全体成果に一致協力して向かうように考えられる。
【００１９】
このように、ディスプレイガラスはできるだけ大きいものが好ましく、さらには釜について一目ですべて見える程度でも好ましい。該ディスプレイガラスは釜の直近にあり、これにより、薪の火により得られる情景の恩恵が十分に受けられるようになる。ディスプレイガラスはこれがある部品の中に少しの空間しか占めないように、釜がはめ込まれ得る壁から少しだけ突き出るにすぎないことが好ましい。
【００２０】
同様に、釜の格子下にある灰受け容器が壁内で長く伸びることが都合が良い。こうして容器が空にされるため容易にこれに近づけるようになる。
【００２１】
機能ならびに自動性が向上するために、釜の支持格子あるいは灰受け格子は、特定の制御による交互移動の動きにより、また格子が固定される空気取入口の正面調節弁の動きによっても動かされる。
【００２２】
着火装置には、釜の格子により支持される木材の薪の着火が、電気的に、遠隔で、かつ危険無く可能となる、少なくともひとつの遮蔽抵抗器が含まれるのが好ましい。
【００２３】
木材の貯蔵場所は例えば鉛直な区画から形成され、その深さは薪の平均直径を軽く越える。この区画は暖炉の背後にあると同時に、釜の燃焼の二次空気の取入口にも利用される、断熱されかつ好ましくは空洞の仕切壁により分離される釜に隣接する。
【００２４】
この燃料貯蔵場所は貯蔵区画の大きさに合わせた平均直径の薪、あるいは丸太あるいは木材片の積み上げにより満たされる。この貯蔵場所の下部部分で傾斜した平面は、最初の薪あるいは最初の丸太が消費されてしまった時に新たな薪あるいは新たな丸太がその場所に置き換わるように、薪あるいは丸太を釜の高さまで走らせるかあるいは滑らせ得ることが都合が良い。この貯蔵場所は、暖炉の脇あるいは背後からの再投入のために、該貯蔵場所がはめ込まれる壁の対向面が開かれて、あるいは全く別の手段で手が届き得ることが好ましい。
【００２５】
この自動供給板では、貯蔵場所に薪あるいは丸太の投入引き出しが含まれ得る。この投入引き出しは、すでに積み上げられた薪あるいは丸太が入れられるのに使用されるカセットにより満たされるように設置可能で、これにより余分な時間が稼がれるために前もって木材の投入が予定され得る。
【００２６】
燃焼新鮮空気の取入口は２通りの道を通って実施される。一次燃焼空気用の主たる道は空気取入口の正面調節弁を通り前面面の下部を通って来る。もう一つの道を通って燃焼と再燃焼の二次空気がもたらされる。この二次空気の道は釜の背後の下部部分が起点とされると同時に分離仕切壁を通って釜の下部に通じるとともに、ここから一部はこの分離仕切壁の下端まで、他はさらに高所にある再燃焼空気孔列を通って外に出る。この二次空気は従って予熱されると同時にこの配置によってまた分離仕切壁中に断熱を形成する空気層の創出も可能となり、これにより貯蔵場所の木材および加熱ガスの自由な燃焼が回避される。
【００２７】
このため、分離仕切壁は２枚のほぼ平行かつ鉛直な板の形をなすのが好ましく、その隔りにより断熱の平板空間が区切られる。この二次燃焼空気の供給仕切壁により追加の空気の流れが得られ、これにより、一次空気とともに釜の格子上の然るべき場所の薪あるいは丸太ならびに往々にして不完全燃焼となる揮発性物質の完全燃焼と再燃焼が確保される。
【００２８】
分離仕切壁からの出口にある空気排気口はすっかり開放されるか、あるいはその適切な配置により支燃性空気の最適な分配が可能となる一連の孔で構成される。
【００２９】
最後に、排煙装置は釜の上部にある暖炉の高所部分にある。これは鉛直排出口あるいは水平エルボー反転部にある煙箱の形をなすのが好ましい。これは暖炉タイプあるいは例えば超小型換気口タイプの排出ダクトにより構成されるのが好ましい。
【発明を実施するための最良の形態】
【００３０】
本発明のその他の特徴および利点は付録の図が参照されて行われる説明、すなわち以下に続く詳細説明を読めば明らかになろう。
【００３１】
本発明による暖炉が今度は様々な図が参照されて詳細に説明される。これらの図に示される同じ要素には同じ参照番号が振られる。
【００３２】
この説明では、暖炉の前面の面はディスプレイガラスが含まれる面と、そして背後面は壁に掛けられるか、あるいはその内部にあるのでその隠れた面と理解される。
【００３３】
図では暖炉１の全体外観は、平行六面体の平板さらには超極平板の小箱の外観、あるいは前面の面上でディスプレイ兼覗きガラス３により塞がれる開口部をなす閉鎖釜が形成される厚みの薄い箱２の外観である。
【００３４】
このディスプレイガラス３は釜の正面閉鎖のため閉鎖位置に維持されるが、釜内部への接近ならびにその清掃のために取り外し可能であるか、あるいは例えば上下動により無くしやすくなっている。このため、このガラスは例えば小箱２内部の釜への接近が確保されるように前面の方に移動して開く骨組により支えられるのが好ましい。
【００３５】
平板小箱２には、いわゆる釜が形成されるとともに前面に配置される燃焼室４、ならびに背後にあると同時に、ここで例えば薪あるいは丸太７状の天然あるいは人工圧縮された木材固体燃料の貯蔵場所６に収納されるよう充てられる燃料の貯蔵室、あるいは区画５の隣接する２室が収納される。
【００３６】
２室４および５はその高さの大部分が仕切壁の形の分離仕切壁８により分離される。この分離壁８は機械的な分離機能をもつが、また燃料貯蔵場所６との熱の伝達すなわち貯蔵区画５の過度な温度上昇が回避されるための断熱の機能ももつ。この分離仕切壁８はこの後で分かるようにさらに別の機能も示し得る。
【００３７】
分離仕切壁８はそれぞれほぼ平行かつ鉛直の前面９および後面１０の２枚の板の形をなすのが好ましく、これらの板の間がそのままか、あるいは断熱材で満たされ得る、平板でかつ薄い内部空間１１が両板間に定められる。
【００３８】
好ましい実施例では、内部空間１１はそのままでかつそれ故不動あるいは好ましくは下降する流れに応じて移動する空気層１２の形の空気で満たされる。この手段の設置により、板、特に分離仕切壁８の前面板９と接触して加熱される外部から来る燃焼新鮮空気の追加供給の実現が可能となる。この空気はこの後、二次空気と呼ばれる。
【００３９】
一次燃焼空気はこの後で分かるように小箱２の前面の面の内部部分にある空気取入口から来る。
【００４０】
興味深い変型例によると、分離仕切壁８は、直接にせよ、エルボーになったかあるいは傾斜した延長部を通るにせよ、あるいはその他のあらゆる形態にせよ、釜近くの下部の方の好ましくは釜の右に見えるその下部の横縁１３で終わり、釜背後の取入口に実際の空気吸入の空気孔列がこうして形成される。
【００４１】
再燃焼が開始され得る燃焼区画４の空間に加熱新鮮空気をもたらす目的で、仕切壁８の上部部分に空気排出口の中間空気孔列が用意されることも可能である。
【００４２】
この空気孔列はスリットあるいはその他の幾何形状の形で単純な空気排出口であり得る。
【００４３】
高さの異なる燃焼二次新鮮空気排出口が複数設置されることも可能である。
【００４４】
このように、分離仕切壁８の内部を移動する空気により、消費される途中の薪上部で燃焼室４に燃焼新鮮空気が供給されるようになり得る。薪は、外部に取り出されると同時に燃焼室あるいは釜４の高さまで届く強制空気の配管通風論的流れにより好ましくは例えば機械的に投入されることになる。
【００４５】
薪が分離仕切壁８を横断して前進する時に、炎との接触および釜の輻射によって仕切壁の前面板９を横断して加熱されるようになり、こうして大量の熱量がその下降する動きにもたらされる。新鮮空気層１２によりこうして断熱の盾が、釜の背後にあると同時に中に木材の貯蔵場所６のある貯蔵区画５のために構成され、該場所で釜の熱の直接伝達により過度に生じる温度による勝手な燃え上がりが回避され得る。
【００４６】
分離仕切壁８の出口で釜の燃焼室４に供給される燃焼二次空気の排出口は、様々な図で示されるように、少なくともその下部横縁１３の高さにある。該縁は完全に自由で開放され得る。しかしながら、これは空気の流れが外へ出るよう仕向けられるように、例えばその適当な配置により支燃性空気の最適な分配を可能とする導管、あるいは好ましくは一連の孔が穿孔される帯の形で形成され得る。
【００４７】
新鮮空気は好ましくは調節可能な二次空気下部取入口１４から分離仕切壁８まで持ってこられると同時に、貯蔵区画５の後面仕切壁１５の内部に、そして次に引き続きその上部仕切壁１６へと進み分離仕切壁８へと下降する。
【００４８】
空気取入口１４は、ある変型実施例では、一定温度に保たれ得る、すなわち様々なパラメーター、例えば部品の温度あるいは火の様子のある程度の調節のために暖炉の近傍温度に応じて調節可能である。
【００４９】
再燃焼、つまり、釜の中心で不完全燃焼した揮発性物質とガスの燃焼の実現のために、再燃焼空気孔列１７が釜の少し上部に設置される。示されるように、これは分離仕切壁８の下縁にほぼ平行に直線状に配置されて調整される一連の穿孔される孔の問題であり得る。これらの孔から出る予熱された新鮮空気により、必要な酸素と同時にこれら不完全燃焼物の燃え上がりと燃焼の維持が可能となる適切な温度がもたらされる。こうして、全体の熱効率が改善される追加熱量の供給の恩恵が受けられる。生態環境上の懸念における不完全燃焼物質や燃料ガスの大気への投棄も回避される。
【００５０】
燃焼一次空気は調節可能な一次空気の取込口１８のある小箱２の前面の面の下部部分からくる（図１４）。この一次空気の取込口１８は、空気流量つまりは燃焼速度の調節のため穿孔群の前を移動する同一連続穿孔２１が提供される平行移動部品２０により、多かれ少なかれ覆われる線状配置の穿孔（１９）からできるような一連の孔の形で製作可能である。この平行移動部品は線状に、例えば、対応する固定ねじ釘２４および２５と直線に並ぶ２つの孔２２および２３の協力により直線移動可能に取付けられる。平行移動部品は操作レバー２６により移動が作動される。正面位置にある一次燃焼空気取込口１８の全体が空気取入口２７正面調節弁となる。これは保護板２８により保護される。
【００５１】
ここでまた、一次燃焼空気取込口も一定温度に保たれ得る、つまり、その調節すなわち通風は火の様子が修正され、かつ調整されるために上記で指摘された様々なパラメーターにより変化する。
【００５２】
いわゆる釜は、灰あるいは灰皿３１用の容器が含まれる機械全体３０上部に取付けられる支持格子あるいは灰受け格子２９から形成される。薪がガラス張り面からある程度距離をおいて維持されるようたきぎ台３２が格子の上に載せられる。
【００５３】
美観上と技術的な形が尊重されるために、灰皿３１は好ましくは引き出し状兼平板であると同時に例えば横面の一面上に容易に手が届くように製作されよう。
【００５４】
貯蔵区画５から、釜の灰受け格子２９が、ここでは木材であるのが好ましい固体燃料の自動供給領域３３の終点部分を構成する。この供給領域３３は主として木材の薪、あるいは丸太７の積み上げられる貯蔵区画５の底が形成される傾斜路３４から構成される。
【００５５】
この傾斜路３４により貯蔵区画５に含まれる薪あるいは丸太７が、消費される薪７を徐々に置き換えるよう燃焼室４に入ると同時に、灰受け格子２９まで到着するため滑ってさらには転がって重力により前進可能となる。
【００５６】
薪あるいは丸太７は相互に接触するようになるが、薪あるいは丸太７の積み上げにより、燃料の挿入要素の介在および／または釜の横方向取込口の長広舌あるいは本発明の枠から逸脱しない限りの全面的あるいは徐々の受入れに相当する手段の存在が必要となり得る。
【００５７】
勿論、薪あるいは丸太７状態の木材が利用され得るが、木材屑あるいは類似の固体材料および燃料から適合される、例えば、圧縮され、寄せ集められ、そして形成されるその他のタイプの木材も適合され得る。
【００５８】
使い易さを補うために、適切な操作レバー３５が提供される灰受け格子２９の移動は、空気取入口の正面調整弁２７の平行移動部品２０の移動に固定される。
【００５９】
この固定は図１５で分かるように２つの貫通要素３６、３７、例えば、ねじ釘あるいはその他のその両端がそれぞれ灰受け格子２９とつながっている貫通方向受け溝に入る結合要素により単純に実現可能である。こうして、空気取入口調節弁２７の平行移動部品２０が動かされる時に、あおりが自動的に生ずる。
【００６０】
さらにまた使い易さを向上するために、釜には例えば、遠隔制御可能な自動着火装置が装備される。
【００６１】
図１５で目に付くように、これは、特に、格子上の然るべき場所にある薪７と直接接触状態にあるように灰受け格子２９の上部部分と同じ高さに並ぶ少なくともひとつの環状遮蔽電気抵抗器３８の問題であり得る。例えば、暖炉の前面の面あるいは近傍にある開閉器の形の遠隔制御により、調節可能な時限タイマーによって着火の遮蔽抵抗器電気供給の制御が可能となる。着火抵抗器３８はその後白熱した状態になり、釜への接近用扉が開かれる必要もマッチの利用の必要もなく暖炉の火が容易に着火するので格子２９上にある薪７が直接燃え上がり得るようになる。こうして多くの事故あるいは汚れの危険が回避される。
【００６２】
木材の貯蔵区画５から発する万一の汚れもまた灰受け容器３１内に見つかるよう木材供給傾斜路３４に沿って重力により落ちる点に注目することが重要である。これにより、暖炉全体がきれいに保たれ得る。
【００６３】
小箱は横面全体を塞ぐ２枚の横扉３９および４０により両側面が閉鎖される。これらの扉は前面軸廻りの回転により、例えば取り外し可能な握り部４１により毎回開くよう操作可能である。
【００６４】
図８および図９で見て取れるように、小箱の少なくとも一横面により燃料投入のための固体燃料貯蔵区画５の横からの接近口といった開口部４２が提供される。釜から来る熱がある程度解放されるこの開口部は、扉本体への熱の伝達を回避する枠取りされると同時に断熱被覆される領域４３により、扉に関する空間が保護される必要があった。枠取りされると同時に断熱被覆される灰取出口３１に関する領域４４についても同様である。
【００６５】
釜４は、炎が見られるようにする特別なガラスで取り外しできるディスプレイガラス３の表面により前面が閉鎖される。内部前面の面は前面防熱板４５により上部部分が閉鎖される。
【００６６】
灰受け格子３１の上部にあると同時に断熱分離仕切壁８および小箱ディスプレイガラス３の間に含まれる燃焼室４部分により炎が発達する空間が構成される。この燃焼室４部分は、煙箱４６と呼ばれる空間詰め物、あるいは真っ直ぐな４８、あるいはエルボー付き４９の煙および燃焼ガスの排気管に導管４７を通って到達する同様な物により高所の方に延びる。
【００６７】
好ましい変型実施例によると、燃焼室４の上部部分を占める煙箱４６の空間には、煙および燃焼ガスを排気管４８あるいは４９の入口に向けて方向を与えるのに利用されると同時に、この排気管に接続部品として役立つ導管４７にはめ込まれるようになる一枚あるいは複数枚の偏向板５０がさらに含まれ得る。この導管４７はまた超小型換気口タイプの同軸配管５２により板５１を貫通して後部排出口を構成するよう配され得る。小箱上部は補強格子５３により覆われる。排気口もまた鉛直であり得る。導管４７はその後に高所の方に向けられると同時に、なおかつ鉛直４８あるいはエルボー４９の排気口に接続されるよう格子５３を貫通する。この排気口は見える場合と見えない場合があり得る。見える場合には、同時にカバーとしても使用される閉鎖マスク５４がこれに設けられる。このカバーは排出管４８により発散される回収熱量の含まれる熱い空気の流れを該部品の上の方に排出可能にする口５５を通じて上部部分が開放される。
【００６８】
小箱２の前面の面は全高にわたり保護兼補強兼覗き回転主扉５６により閉鎖される。この主扉５６は左あるいは右の横方向軸廻りに回転するよう接合される。この扉には閉鎖位置での固定手段が含まれる。
【００６９】
この主扉５６は二重となっている。これはディスプレイガラス３に関する中央覗き窓５８が長方形形状となるその表面部分が不透明にされたガラスの主パネル５７から構成される。図２から図５で見て取れるように、主パネル５７の全体形態は長方形あるいは楕円形である。勿論、その他の美的形状もあり得る。
【００７０】
主パネル５７はある距離だけ離れて支持されるとともにガラスあるいはその他の耐熱類似材料製の透明二次パネル５９の背後面上に置かれる。これは例えば枠骨組により維持されると同時に扉の閉鎖時は小箱２のディスプレイガラス３上に取付けられるようになる。主扉５６はこのように二重ガラス張りとして考えられ得る。炎までのこのガラスの連続により炎が直接見ることができるようになるばかりでなく、炎の光景の魅力および魔法をさらに強める炎の反射や追加の像も見られるようになる。
【００７１】
全体装置における小箱２や暖炉１の特に平板な性格により、大変な技術作業を必要としなくても数多くの支持材にはめ込まれるかあるいは一体化される組立のしやすさが与えられる。
【００７２】
この特に有利な特徴のおかげで、平板あるいは超極平板暖炉１は、全体的あるいは部分的に壁６０に埋め込まれ得るか、あるいは薄い突出部、つまり、仕切壁あるいは図１０および図１１に示されるように壁の前部面と同じ面に並び得る前面面しか呈さない。
【００７３】
しかしながら、暖炉を取付ける普通の方法は、図１２および図１３に示されるように、人の平均身長の高さの壁６０に断熱兼美観用の取付板６１を間に挟んで壁掛けで固定することである。
【００７４】
既に指摘されたように、技術上の配置の可能性に応じて、壁ガスボイラーのような超小型換気口タイプの同軸配管５２により壁を貫通する直接排気口、あるいはカバーマスク５４および回収熱風排出口５５付きの鉛直排気管の排出口４８が選択されよう。
【００７５】
本発明による暖炉１ではあらゆるタイプの宿泊施設あるいは住居に適用されると同時に、床上に置かれる従来の暖炉とは反対に必要に応じて様々な高さに設置され得る点に注目することが重要である。本暖炉は、また、台座上にも取付け可能であるか、または仕切壁あるいは壁の任意の高さにも吊り下げ可能である。
【００７６】
暖炉はいかなる整備工事も必要としないので、その壁掛け版に関する取付けは十分簡単である。その使い方も暖炉の火の着火には木材が投入されるとともに着火装置の遠隔操作が行われるだけで十分であるので極めて単純である。その維持もまた暖炉の清掃が必要とされないのでさらに簡単である。灰受け容器３１は定期的に空にされるとともに、あおりの大部分が一次空気の取入口の正面調節弁２７を操作して行われるので貯蔵区画５が木材で一杯にされるだけで良い。
【００７７】
純粋に手動の変型例によると、貯蔵区画５に次々に丸太が導入されかつ相互に上に重ねられて置かれながら木材が補給される。
【００７８】
この特徴は、快適な設備の観点からさらに改善可能であり、予め装備されるかあるいは購入して装備された後、直接または貯蔵区画５への投入器により導入される装填マガジンあるいは交換部品６２が利用されて作動され得る。
【００７９】
図１６に示される別の実施形態例によると、木材の貯蔵場所６には、交換部品６２および、木材が一杯になると傾斜滑り路のように閉鎖板６４に助けられる平行移動により貯蔵区画５に横方向に導入されることになる投入引き出し６３状態の支持材が含まれる。
【００８０】
空の投入引き出し６３が予め一杯にされる満杯の別の引き出しにより置き換えられる、また必要な場合には交換標準ユニット、つまり装填委託さえも可能な空の引き出しのような形で、空あるいは満杯で市販されることもまた考えられる。
【００８１】
図１７に示されるように、貯蔵場所６が形成される貯蔵区画５には、薪あるいは丸太７が中に置かれる交換部品６２が受入れられる外側の方に飛び出る横方向開口部６７のある受入れケース６６つきの箱の形をなす特別な投入器６５が受入れ可能である。暖炉全体が出来るだけ平たくなるためには、特別な投入器６５の奥行が制限されるとともに含まれる薪あるいは丸太７の直径とほぼ一致させる。その全高さは暖炉の高さに依存するが一般的に数時間の燃焼に十分な木材量が含まれ得るよう設置される。
【００８２】
壁に埋め込まれる暖炉のために壁の向こう側の背後の木材投入器もまた設置され得る。
【００８３】
一般的な方法では、燃料特に木材の貯蔵場所６は暖炉の作動中であっても必要な際に毎回補給され得る。これが行われるためには、空の引き出しに補給されるかあるいは満杯の引き出しにより置き換えられなくてはならない。
【００８４】
また本発明の範囲を外れない前出の実施形態例の多くの変型例も考えられる。
【００８５】
正方形あるいは長方形の暖炉しか考えられなかった。しかしながらその他の形態、例えば、暖炉が構成される様々な部品が結果として採用される三角形あるいは円形も考えられるとともに実施され得る。
【００８６】
さらに、着火装置に関する遠隔制御手段はまた、遠隔操作装置が利用されて遠隔作動される開閉器、あるいは暖炉が設置される宿泊施設の様々な場所にある１つあるいは複数の開閉器、あるいは例えば着火抵抗器の電気供給が信号化される遠赤外線放射器などによるその他のあらゆる遠隔制御手段も考えられる。
【００８７】
断熱分離仕切壁８のため、この分離仕切壁８を通じて貯蔵場所６の薪あるいは丸太７に伝達される釜からくる熱は、これらの燃え上がりが引き起こされるには十分ではない。しかしながら、本仕切壁により薪あるいは丸太の入念な乾燥が実現可能となり、これによりこれらの燃えやすさがほぼ改善される。
【図面の簡単な説明】
【００８８】
【図１】使用中の本発明による暖炉の好ましい実施形態の剥がされた暖炉の主平面の概略横方向面の全体透視図である。
【図２】本発明による暖炉の第1実施変型例の閉鎖された扉の単純化された透視図である。
【図３】本発明による暖炉の第1実施変型例の開放された扉の単純化された透視図である。
【図４】本発明による暖炉の第２実施変型例の閉鎖された扉の単純化された透視図である。
【図５】本発明による暖炉の第２実施変型例の開放された扉の単純化された透視図である。
【図６】工業製品に対応した暖炉長手方向中間断面図である。
【図７】本発明による暖炉の前面詳細透視図である。
【図８】本発明による暖炉の後面詳細透視図である。
【図９】図７および図８に対応する本発明による暖炉の分解透視図である。
【図１０】本発明による壁埋め込みの暖炉据付例の断面概略図である。
【図１１】本発明による壁埋め込みの暖炉据付例の断面概略図である。
【図１２】本発明による壁掛け取付けの暖炉据付例の断面概略図である。
【図１３】本発明による壁掛け取付けの暖炉据付例の断面概略図である。
【図１４】燃焼一次空気の正面取入口の調整弁が示される単純化された透視図である。
【図１５】一次空気取入口正面調節弁の付いた灰受け格子の機械的固定が図示される単純化された透視図である。
【図１６】横方向引き出しを伴うカセットが利用される２タイプの木材投入具が示される概略透視図である。
【図１７】上下引き出しを伴うカセットが利用される２タイプの木材投入具が示される概略透視図である。
【図１】
2007531859.tif 000003
【図２】
2007531859.tif 000004
【図３】
2007531859.tif 000005
【図４】
2007531859.tif 000006
【図５】
2007531859.tif 000007
【図６】
2007531859.tif 000008
【図７】
2007531859.tif 000009
【図８】
2007531859.tif 000010
【図９】
2007531859.tif 000011
【図１０】
2007531859.tif 000012
【図１１】
2007531859.tif 000013
【図１２】
2007531859.tif 000014
【図１３】
2007531859.tif 000015
【図１４】
2007531859.tif 000016
【図１５】
2007531859.tif 000017
【図１６】
2007531859.tif 000018
【図１７】
2007531859.tif 000019
【国際調査報告】
2007531859.tif 000020
2007531859.tif 000021
2007531859.tif 000022
2007531859.tif 000023